(57)【要約】【課題】食品及び保存容器の保存開始月日から賞味期限月日の期限表示をし、食品、保存容器に取付けて保存管理をする食品保存月日表示器具を提供する。【解決手段】上部回転蓋（１）と下部回転蓋（１９）の表面に設定月日を見る日表示窓（２）、月表示窓（３）を設け、本体（１０）の上面周部（１１）と下面周部（１２）に日数目盛（１７）を上面に有する日数表示輪（９）を設け、中心には月数目盛（１８）を上面に有する月数表示盤（７）が入る中心嵌合部（１４）を上面、下面に設けたことを特徴とする。【選択図】  図１
2004184953.tif 000002
【特許請求の範囲】
【請求項１】
上面周部と下面周部に日数目盛を上面に有した日数表示輪と、中心部に月数目盛を上面に備えた月数表示盤とを有した食品保存月日表示器具本体と、表面に日表示窓と月表示窓を有した上部回転蓋と下部回転蓋と、食品、保存容器等に取付けるための取付手段からなる食品保存月日表示器具。
【請求項２】
本体の外周部に複数の孔付爪を設けた、請求項１記載の食品保存月日表示器具。
【発明の詳細な説明】
【０００１】
【発明の属する技術分野】
この発明は、食品及び保存容器の保存日の開始から賞味期限の期間表示をしたものを、食品、保存容器に容易に取付けることで、保存管理をする食品保存月日表示器具に関するものである。
【０００２】
【従来の技術】
従来より、保存表示器具の表示方法は保存日の開始か、賞味期日のどちらかの日数表示をする。しかも食品、保存容器に取付けるにも形状、種類によっては取付かないものもある（例えば、特許文献１と特許文献２参照）。
また、冷蔵庫の食品劣化防止方法により鮮度保持機能が向上し、冷凍室の食品設定温度によっては７日〜３ヵ月間の保存期間が目安で設けてある。
以上の点からして、各食品の鮮度についての判断基準とする月日の期間表示情報が欠けている。
【０００３】
【特許文献１】
登録実用新案第３００７８２３号公報（第２〜４頁、第１図）
【特許文献２】
登録実用新案第３００８５８２号公報（第２〜６頁、第１図）
【０００４】
【発明が解決しようとする課題】
これには次のような欠点があった。
（イ）  食品保存の保存表示器具は、日数のみの表示が多数をしめている。
（ロ）  保存表示器具の取付に際しては、食品、保存容器の取付は形状、種類によっては取付できないものもある。
そこで鮮度の良いものを早く安全に食用とするには、本発明の器具で上面に保存開始月日と、下面に賞味期限月日を表示したものを取付け、食品、保存容器と共に月日の期間表示をした情報とを、常時、対にすることで鮮度の判断ができ、食品、保存容器の保存管理が容易にできるようにすることを課題としたものである。
【０００５】
【課題を解決するための手段】
上部回転蓋（１）と下部回転蓋（１９）の表面に設定月日を見る日表示窓（２）、月表示窓（３）を設け、本体（１０）の上面周部（１１）と下面周部（１２）に日数目盛（１７）を上面に有する日数表示輪（９）を設け、中心には月数目盛（１８）を上面に有する月数表示盤（７）が入る中心嵌合部（１４）を上、下面に設ける。
また、第２の課題解決手段は、本体（１０）の外周部（１３）に孔付爪（１５ａ）（１５ｂ）（１５ｃ）を設けたものである。
【０００６】
【発明の実施の形態】
以下、本発明の実施形態について説明する。
（イ）  円柱状の本体（１０）の上面に溝状の上面周部（１１）と下面に溝状の下面周部（１２）を設け、上面に印刷した日数目盛（１７）（１７）を有した日数表示輪（９）（９）をそれぞれ固着する。
本体（１０）の中心部には中心嵌合部（１４）を設け、上面、下面には回動可能な寸法に設定した月数調整孔（８）（８）と印刷した月数目盛（１８）（１８）を有した月数表示盤（７）（７）を設ける。
また外周部（１３）には孔部（１６ａ）（１６ｂ）（１６ｃ）を有した扇状の孔付爪（１５ａ）（１５ｂ）（１５ｃ）を３等分した位置に設ける。
（ロ）  色彩付の円盤状の上部回転蓋（１）の中心点を通る直線上に、外周より中心点方向に蓋合い印（４）と、切り込み状を有した日表示窓（２）、月表示窓（３）を設け、上部回転蓋（１）の上面より突出した形状で鍵（５）を設け、また下面外周の外縁に上部回転蓋（１）の開け用とし摘み部（６）を設ける。
下部回転蓋（１９）も、上部回転蓋（１）と同じ構造で色彩の異なるものである。
本発明は以上のような構造でこれを使用する時は、
まず、図２の組合せ断面図により説明する。
上面の設定保存開始月日の表示法について、本体（１０）に冠着の上部回転蓋（１）を外縁の摘み部（６）によりはずし、表面の鍵（５）を下面にして月数調整孔（８）に差し込み、設定月日の日数表示輪（９）の日数文字巾の中心と中心嵌合部（１４）の中心点を結ぶ直線上に月数目盛（１８）の月数文字を回動さし合せる。次に上部回転蓋（１）を本体（１０）にかぶせるには、蓋合い印（４）を設定保存開始月日の日数文字巾の中心に合せ、設定月日文字が日表示窓（２）、月表示窓（３）からよく見える適宜な位置に調整し本体（１０）にかぶせる。下面の下部回転蓋（１９）の日表示窓（２）、月表示窓（３）にも同様に賞味期限月日を設定する。
以下、公知の輪ゴム等を保持具（２０）として用いる取付使用例について説明する。
まず、輪ゴムの長さ、本数を食品、保存容器に適合するようなものを選択する。図７の伸縮リング（２０ａ）を伸縮リング（２０ｂ）のリング内を通し結びする。そして結び目に伸縮リング（２０ｃ）を周囲に回してリング内を通して結び、保持具（２０）とし、伸縮リング（２０ａ）を孔部（１６ａ）に通して結び、図４の保持具取付例図のように設けることで、食品保存月日表示器具を取付使用する準備とする。
図５の果物取付例として、果物表面に孔部（１６ａ）を上部方向にして置き、指で押え伸縮リング（２０ｃ）を球面の上から下へ回し、孔付爪（１５ｃ）に張架する。伸縮リング（２０ｂ）も同様に孔付爪（１５ｂ）に張架する。
張力と摩擦力の相乗効果により保持力アップとなり、容易に着脱も可能となる。
次に、図６は保存容器取付例とし、保存容器の外周壁に食品保存月日表示器具を指で押え、保持具（２０）の伸縮リング（２０ｂ）（２０ｃ）複数本を共に外周に添わせ引っ張り、食品保存月日表示器具を伸縮リング（２０ｂ）（２０ｃ）のリングの中を通し結びして取付ける。尚、瓶類等も同様に取付可能である。
設定保存開始月日は、色彩付の上部回転蓋（１）、日表示窓（２）、月表示窓（３）に表示され、上部回転蓋（１）と異なる色彩付の下部回転蓋（１９）にも同様に設定賞味期限月日が日表示窓（２）、月表示窓（３）に表示される、その表示月日を見て食品の保存管理をする。
また、保持具（２０）を輪ゴム等の伸縮リング状とせず、その形状は帯、糸状とし、伸縮材の片方にワンタッチ止め、及びフック等を装着したものを所定の長さに設定し、もう片方は孔付爪（１５ａ）の孔部（１６ａ）に通し係着することにより、食品及び保存容器に取付けても同じ効果である。
図８に示すように、上部回転蓋（１）、下部回転蓋（１９）の日表示窓（２）、月表示窓（３）に凸レンズ部（２１）を嵌め込み設けることで、文字がより見やすく効果的である。
図９に示すように、上部回転蓋（１）の裏面中心に軸（２２）を設けたものを蓋（２５）とし、上部回転用、下部回転用とがある、月数表示盤（７）の中心に孔（２３）を設けたものを月表示盤（２４）とし、蓋（２５）の軸（２２）に月表示盤（２４）を嵌め込み摺動するように取付ける。
設定月日の表示方法は、月表示盤（２４）を回して月数文字を月表示窓（３）に表示させ、本体（１０）の日数表示輪（９）の日数文字が日表示窓（２）より見える適宜な位置で、本体（１０）に蓋（２５）の上部回転用、下部回転用を圧入することで、月日の表示方法しては同じ効果である。
【０００７】
【発明の効果】
本発明による食品保存月日表示器具に、保存開始月日と賞味期限月日の設定期間表示をし、食品、保存容器に取付ることにより、期間の中間月日という任意の中間基準月日が設定でき、表示月日が中間基準月日より前の開始月日に近い食品は新しい、中間基準月日より後は古いという判断が簡単に早くできることにより、新鮮な内に食用とすることが可能となる。
尚、冷凍室の保存容器も長期保存月日の表示ができ、保存管理の対象となる。また、保存開始月日表示の上部回転蓋（１）を色彩付とし、賞味期限月日表示の下部回転蓋（１９）には上部回転蓋と異なる色彩付とし、月日表示文字と色彩と共に併用することにより、注意力の喚起と識別力の効果を利用して、人為的ミスの防止に効果を発揮する。
食品、保存容器が任意形状でも取付き、着脱と共に上、下部回転蓋に表示の月日確認も容易にできることで、食品、保存容器と共に月日表示器具に設定の期間表示との情報が常時、対となり、全般的な保存管理が容易にできる。
以上の点から、保存管理することにより、健康面に役立ち、処分ゴミの減量化により家庭内では経費減となり、社会的には環境にやさしく省エネ、経費減に貢献する。
【図面の簡単な説明】
【図１】本発明の分解斜視図
【図２】本発明の組合せ断面図
【図３】本発明の月数目盛、日数目盛の平面図
【図４】本発明の保持具の取付例図
【図５】本発明を果物の使用例として示す平面図
【図６】本発明を保存容器使用例として示す正面図
【図７】本発明の保持具の全体図
【図８】本発明の他の実施例図
【図９】本発明の他の実施例図
【符号の説明】
１  上部回転蓋                  １６ａ  １６ｂ  １６ｃ  孔部
２  日表示窓                    １７  日数目盛
３  月表示窓                    １８  月数目盛
４  蓋合い印                    １９  下部回転蓋
５  鍵                          ２０  保持具
６  摘み部                      ２０ａ  ２０ｂ  ２０ｃ  伸縮リング
７  月数表示盤                  ２１  凸レンズ部
８  月数調整孔                  ２２  軸
９  日数表示輪                  ２３  孔
１０  本体                        ２４  月表示盤
１１  上面周部                    ２５  蓋
１２  下面周部                    ２６  果物
１３  外周部                      ２７  保存容器
１４  中心嵌合部                  ２８  食品保存月日表示器具
１５ａ  １５ｂ  １５ｃ  孔付爪
【図１】
2004184953.tif 000003
【図２】
2004184953.tif 000004
【図３】
2004184953.tif 000005
【図４】
2004184953.tif 000006
【図５】
2004184953.tif 000007
【図６】
2004184953.tif 000008
【図７】
2004184953.tif 000009
【図８】
2004184953.tif 000010
【図９】
2004184953.tif 000011